(57)【要約】【課題】ＩＣタグやミニチュアのような微小な立体的物品などを作業効率よく、連続的に被装着物に装着することが可能な物品装着装置および物品装着針を提供する。【解決手段】物品装着針３２を充填したカセット２１を収納可能な空間を有するフレーム１１の一端に物品装着針３２を通過させる開口部１１５を有し、フレーム１１の開口部１１５とは反対側の端部にフレーム１１に対して回動可能に固定されたカバー１３を有する。フレーム１１はカセット２１内に移動可能な針押し１１４を有し、フレーム１１およびカバー１３はベース１４に回動可能に固定されている。カバー１３をフレーム１１側に回動させたとき、押刃１５が開口部１１５の物品装着針３２を押し出す。押し出された物品装着針３２は、針３２２がベース１４の凹部１４１で被装着物をはさんで装着される。【選択図】        図１
2005103724.tif 000002
【特許請求の範囲】
【請求項１】
物品装着針を充填したカセットがホッチキス本体に着脱自在に形成される物品装着装置であって、一端に物品装着針を通過させる開口部を有し、前記カセットを収納可能な空間を有するフレームと、前記フレームに対して前記開口部とは反対側の端部において回動可能に固定されたカバーと、前記カバーの内壁に設けられ、前記カバーを前記フレーム側に回動させたとき、前記開口部に向かって移動して前記物品装着針を押す押刃と、物品の被装着物が載置可能であり、一端に前記物品装着針の針が侵入する凹部を有し、他端に前記フレームと前記カバーが回動可能に固定されたベースとを有しており、前記フレームはその長手方向に移動可能であり、かつ、前記カセット内を移動可能な針押しを有することを特徴とする物品装着装置。
【請求項２】
前記フレームはその長手方向に延びるガイドを有し、前記針押しは前記ガイドに沿ってバネ力により摺動することを特徴とする請求項１に記載の物品装着装置。
【請求項３】
前記カセットは一端に前記物品装着針を通過させる開口部を有し、前記カセットを前記フレームに収納したとき、前記カセットの前記開口部と前記フレームの前記開口部が対向することを特徴とする請求項１に記載の物品装着装置。
【請求項４】
前記カセットの前記開口部周囲の少なくとも２箇所にバネ性を有する止め部を有することを特徴とする請求項３に記載の物品装着装置。
【請求項５】
前記カセットを合成樹脂で形成したことを特徴とする請求項１、請求項３および請求項４のいずれかに記載の物品装着装置。
【請求項６】
前記止め部のバネ性として合成樹脂の弾性力を用いたことを特徴とする請求項４に記載の物品装着装置。
【請求項７】
前記物品装着針は、物品を収納する箱体部と、前記箱体部の対向する２つの側壁から一方向に延伸する一対の針を有することを特徴とする請求項１に記載の物品装着装置。
【請求項８】
前記物品がＩＣタグであり、前記ＩＣタグを収納した箱体部は電波を送受するための透孔を有することを特徴とする請求項７に記載の物品装着装置。
【請求項９】
前記物品装着針は金属製であることを特徴とする請求項１または請求項７に記載の物品装着装置。
【請求項１０】
物品を収納する箱体部と、前記箱体部の対向する２つの側壁から一方向に延伸する一対の針を有することを特徴とする物品装着針。
【請求項１１】
前記物品がＩＣタグであり、前記ＩＣタグを収納した箱体部は電波を送受するための透孔を有することを特徴とする請求項１０に記載の物品装着針。
【発明の詳細な説明】
【技術分野】
【０００１】
本発明は、ＩＣタグやミニチュアのような微小な立体的物品を紙や布などに装着する物品装着装置およびそれに使用される物品装着針に関する。
【背景技術】
【０００２】
従来、紙や布などにバーコードなどのシールや値札のような平面的な物品を装着する場合、物品と紙や布などの被装着物とをホッチキスの針で固定し、物品を糊で貼り付け、又は物品と被装着物とを糸で固定する方法が行われている。
ホッチキスは通常多数の針が一連に接着された針を使用し、針先とベース間に物品と被装着物を空間的に挟んで押し刃により個々の針を１つずつ分離させながら両者に貫通させ、針の先端を屈曲させて固定している。
多数の針が一連に接着されたホッチキス針は、個々の針が簡単に分離できるようにするためにその接着力は非常に弱く、ホッチキス本体に装着するときなどは簡単に分離し、取り扱いに注意が必要である。この不便さを解消するために、ホッチキス針をカセットに充填し、このカセットをホッチキス本体に装填するものが提案されている（たとえば、特許文献１〜３参照）。
また、シールや値札を糊付けする場合は、片面に糊付けされたシールや値札を値札装着装置の貼付カバーを操作し、値札を一枚ずつ切り離して商品に接着している（たとえば、特許文献４参照）。
また、物品と被装着物とを糸で固定する方法は、デパートやスーパーの衣料品などに広く実施されている。
【特許文献１】特開平７−９６４７５号公報（請求項１および図１６）
【特許文献２】特開平５−１８５３７６号公報（請求項３および図１）
【特許文献３】実用新案登録３０３１１９３号公報（実用新案登録請求の範囲および図１）
【特許文献４】特開２００３−８４６６９号公報（（００４８）および図３）
【発明の開示】
【発明が解決しようとする課題】
【０００３】
しかし、特許文献１〜３のようなホッチキスを利用する方法においては、紙や布などの被装着物にＩＣタグやミニチュアのような微小な立体的物品を直接ホッチキスで装着することはできない。すなわち、ＩＣタグにホッチキス針を貫通させるとＩＣタグが誤動作する虞がある。また、微小とはいえ立体的物品であればホッチキス針を貫通させるのは困難である。したがって、ＩＣタグやミニチュアにホッチキス針が貫通可能な取付片を別途形成し、これを１つ１つホッチキス本体の針出口に手で配置しながらホッチキスで固定しなければならないので作業効率が悪いという課題がある。
また、特許文献４のような値札装着装置では、ＩＣタグやミニチュアのような微小な立体的物品を被装着物に装着することはできない。
さらに、ＩＣタグやミニチュアのような微小な立体的物品を被装着物に糸で固定する方法においても、固定用の取付片を別途形成し、１つ１つ糸を通して固定しなければならないので、やはり作業効率が悪いという課題がある。
【０００４】
本発明はこのような課題を解決するもので、ＩＣタグやミニチュアのような微小な立体的物品などを作業効率よく、連続的に被装着物に装着することが可能な物品装着装置および物品装着針を提供することを目的とする。
【課題を解決するための手段】
【０００５】
請求項１記載の本発明の物品装着装置は、物品装着針を充填したカセットがホッチキス本体に着脱自在に形成される物品装着装置であって、一端に物品装着針を通過させる開口部を有し、前記カセットを収納可能な空間を有するフレームと、前記フレームに対して前記開口部とは反対側の端部において回動可能に固定されたカバーと、前記カバーの内壁に設けられ、前記カバーを前記フレーム側に回動させたとき、前記開口部に向かって移動して前記物品装着針を押す押刃と、物品の被装着物が載置可能であり、一端に前記物品装着針の針が侵入する凹部を有し、他端に前記フレームと前記カバーが回動可能に固定されたベースとを有しており、前記フレームはその長手方向に移動可能であり、かつ、前記カセット内を移動可能な針押しを有することを特徴とする。
請求項２記載の本発明は、請求項１に記載の物品装着装置において、前記フレームはその長手方向に延びるガイドを有し、前記針押しは前記ガイドに沿ってバネ力により摺動することを特徴とする。
請求項３記載の本発明は、請求項１に記載の物品装着装置において、前記カセットは一端に前記物品装着針を通過させる開口部を有し、前記カセットを前記フレームに収納したとき、前記カセットの前記開口部と前記フレームの前記開口部が対向することを特徴とする。
請求項４記載の本発明は、請求項３に記載の物品装着装置において、前記カセットの前記開口部周囲の少なくとも２箇所にバネ性を有する止め部を有することを特徴とする。
請求項５記載の本発明は、請求項１、請求項３および請求項４のいずれかに記載の物品装着装置において、前記カセットを合成樹脂で形成したことを特徴とする。
請求項６記載の本発明は、請求項４に記載の物品装着装置において、前記止め部のバネ性として合成樹脂の弾性力を用いたことを特徴とする。
請求項７記載の本発明は、請求項１に記載の物品装着装置において、前記物品装着針は、物品を収納する箱体部と、前記箱体部の対向する２つの側壁から一方向に延伸する一対の針を有することを特徴とする。
請求項８記載の本発明は、請求項７に記載の物品装着装置において、前記物品がＩＣタグであり、前記ＩＣタグを収納した箱体部は電波を送受するための透孔を有することを特徴とする。
請求項９記載の本発明は、請求項１または請求項７に記載の物品装着装置において、前記物品装着針は金属製であることを特徴とする。
請求項１０記載の本発明の物品装着針は、物品を収納する箱体部と、前記箱体部の対向する２つの側壁から一方向に延伸する一対の針を有することを特徴とする。
請求項１１記載の本発明は、請求項１０に記載の物品装着針において、前記物品がＩＣタグであり、前記ＩＣタグを収納した箱体部は電波を送受するための透孔を有することを特徴とする。
【発明の効果】
【０００６】
本発明によれば、カセット式のホッチキスと同様な構成および操作によりＩＣタグやミニチュアのような微小な立体的物品を作業効率よく、連続的に被装着物に装着することができる。
また、被装着物にＩＣタグを作業効率よく連続的に装着できるとともに、ＩＣタグに対する外部からの信号送受信を確実に行うことができる。
また、カセットを破棄する際に金属と樹脂を分別する必要がなく、保守管理が非常に簡単になる。
【発明を実施するための最良の形態】
【０００７】
本発明の第１の実施の形態による物品装着装置は、物品装着針を充填したカセットがホッチキス本体に着脱自在に形成される物品装着装置であって、このホッチキス本体は、一端に物品装着針を通過させる開口部を有し、このカセットを収納可能な空間を有するフレームと、フレームの開口部とは反対側の端部においてフレームに対して回動可能に固定されたカバーと、カバーをフレーム側に回動させたときに開口部に向かって移動する押刃と、一端に物品装着針の針が侵入する凹部を有し、他端にフレームとカバーが回動可能に固定されたベースとを有しており、フレームはカセット内に移動可能な針押しを有するものである。本実施の形態によれば、フレームに対するカバーの押圧によるホッチキスの簡単な操作により、ＩＣタグやミニチュアのような微小な立体的物品を作業効率よく、連続的に被装着物に装着することができる。
本発明の第２の実施の形態は、第１の実施の形態による物品装着装置において、フレームがその長手方向に延びるガイドを有し、針押しがこのガイドに沿ってバネ力により摺動するものである。本実施の形態によれば、針押しがフレームのガイドに沿って横ぶれすることなく正確に摺動するので、カセット内の物品装着針をその方向をずらすことなく真直ぐに移動させることができる。
本発明の第３の実施の形態は、第１の実施の形態による物品装着装置において、カセットは一端に物品装着針を通過させる開口部を有し、カセットをフレームに収納したとき、カセットの開口部とフレームの開口部が対向するものである。本実施の形態によれば、カセット内の物品装着針を確実にフレームの開口部から物品の被装着物に取り付けることができる。
本発明の第４の実施の形態は、第３の実施の形態による物品装着装置において、カセットの開口部周囲の少なくとも２箇所にバネ性を有する止め部を有するものである。本実施の形態によれば、カセット内の物品装着針をスタンバイ状態において止め部により支えて落下を防止し、物品装着針を打つ場合は物品装着針が止め部を押してそのバネを開いて落下させ、落下後は止め部のバネを元に戻して次の物品装着針を支えることができる。
本発明の第５の実施の形態は、第１、第３および第４のいずれかの実施の形態による物品装着装置において、カセットを合成樹脂で形成したものである。本実施の形態によれば、カセットに金属製の部材がないので、破棄する際に金属と樹脂を分別する必要がなく、保守管理が非常に簡単になる。
本発明の第６の実施の形態は、第４の実施の形態による物品装着装置において、止め部のバネ性として合成樹脂の弾性力を用いたものである。本実施の形態によれば、簡単な構造により物品装着針のスタンバイ状態における支持と被装着物への物品供給を確実に行うことができる。
本発明の第７の実施の形態は、第１の実施の形態による物品装着装置において、物品装着針を物品を収納する箱体部と、箱体部の対向する２つの側壁から一方向に延伸する一対の針を有する構成としたものである。本実施の形態によれば、箱体部内にＩＣタグやミニチュアのような微小な立体的物品を収納することにより、微小な立体的物品を作業効率よく連続的に被装着物に装着することができる。
本発明の第８の実施の形態は、第７の実施の形態による物品装着装置において、箱体部内にＩＣタグを収納し、箱体部に電波を送受するための透孔を形成したものである。本実施の形態によれば、被装着物にＩＣタグを作業効率よく連続的に装着できるとともに、ＩＣタグに対する外部からの信号送受信を確実に行うことができる。
本発明の第９の実施の形態は、第１または第７の実施の形態による物品装着装置において、物品装着針を金属製としたものである。本実施の形態によれば、物品装着針への物品の収納が簡単であり、被装着物との固定部となる針の強度を十分維持することができる。
本発明の第１０の実施の形態による物品装着針は、物品を収納する箱体部と、この箱体部の対向する２つの側壁から一方向に延伸する一対の針を有するものである。本実施の形態によれば、箱体部内にＩＣタグやミニチュアのような微小な立体的物品を収納することにより、微小な立体的物品を作業効率よく連続的に被装着物に装着することが可能な物品装着針を実現することができる。
本発明の第１１の実施の形態は、第１０の実施の形態による物品装着針において、箱体部内にＩＣタグを収納し、箱体部に電波を送受するための透孔を形成したものである。本実施の形態によれば、被装着物にＩＣタグを作業効率よく連続的に装着できるとともに、ＩＣタグに対する外部からの信号送受信を確実に行うことができる。
【実施例】
【０００８】
以下本発明の実施例について図面とともに詳細に説明する。
図１（ａ）は本発明の実施例における物品装着装置の構成を示す側断面図、図１（ｂ）は図１（ａ）における物品装着装置の使用位置における物品装着針装着部の断面図、図２（ａ）は本発明の実施例における物品装着装置のフレームおよびカセットの取り付け構造を示す平面図で、図２（ｂ）は同側面図、図３は本発明の実施例における物品装着装置の針押しの正面図、図４は本発明の実施例における物品装着装置に使用される物品装着針の斜視図である。
本発明による物品装着装置の基本構造は、いわゆるカセット式ホッチキスと略同一の構成のホッチキス本体に、本発明の特徴である物品装着針を充填したカセットを装着した構成である。ホッチキス本体は、カセットを収納可能な空間を有する金属製のフレーム１１と、フレーム１１の一端部に回転軸１２を中心に回動可能に固定された金属製のカバー１３と、回転軸１２を中心に、フレーム１１およびカバー１３に対して回動可能な金属製のベース１４とを有している。
【０００９】
フレーム１１は、図２（ａ）、（ｂ）に示すように、上方から見た場合、断面が略コ字形の側壁１１１を有する有底の構成で、底部１１２および側壁１１１で形成される空間には後述する物品装着針３２が収納されたカセット２１が収納される。フレーム１１の中央部には長手方向に直線状に延びるガイド棒１１３が設けられ、このガイド棒１１３に沿ってフレーム１１の長手方向に摺動可能な針押し１１４が設けられている。
【００１０】
針押し１１４は図３に示すように、カセット２１内の物品装着針３２を押す押片１１７と下方に延びたガイド部１１８を有しており、ガイド部１１８の孔１１９内にガイド棒１１３を貫通させる。ガイド棒１１３はコイルバネ（図示せず）に挿通させ、コイルバネの偏倚力により針押し１１４をフレーム１１の長手方向に摺動させる。フレーム１１の先端には、後述する物品装着針３２を落下させるための開口１１５が形成されている。
【００１１】
カセット２１は、図１（ｂ）に示すように、合成樹脂製の下筺体２２１および上筺体２２２から構成されている。下筺体２２１の中央部にはフレーム１１のガイド棒１１３及び針押し１１４のガイド部１１８が配置される溝２２５および物品装着針３２の針３２２の移動を案内する溝２２３が形成されており、カセット２１をフレーム１１に装填したときのフレーム１１の開口部１１５に対応した位置に、物品装着針３２を下方に取り出すための開口部２２４が形成されている。開口部２２４の周囲には複数個の止め部２２６、２２７が形成されている。この止め部２２６、２２７はバネ性を有し、下筺体２２１を構成している合成樹脂の弾性力を利用したバネ部材で形成することが好ましい。
一方、上筺体２２２は断面コ字形で、先端部の上面にはフレーム１１の開口部１１５および下筺体２２１の開口部２２４と対向する位置に開口部２２９が形成されている。下筺体２２１および上筺体２２２で形成される空間内を物品装着針３２および針押し１１４がガイド棒１１３に沿って移動する。このとき、物品装着針３２の針３２２は下筺体２２１の溝２２３内を移動する。
【００１２】
カバー１３の内壁には押刃１５が形成されている。押刃１５はカバー１３をフレーム１１側に回動させたとき、フレーム１１に装着されているカセット２１の上筺体２２２の開口部２２９に侵入し、物品装着針３２を下方に押してカセット１１の下筺体２２１の開口部２２４から止め部２２６、２２７のバネ性に抗して落下させる。
ベース１４は、フレーム１１の開口部１１５に対応した位置に物品装着針３２の針３２２が侵入する位置に凹部１４１が形成されている。
【００１３】
図４に物品装着針３２の構成を示す。物品装着針３２はステンレスなどの金属製の箱体部３２１と、箱体部３２１の対向する側壁から延長する一対の針３２２から構成される。箱体部３２１の天井面には複数の孔３２６が形成され、底面には複数の舌片３２３が形成されている。箱体部３２１のほかの対向する側壁の一方の壁面はこの壁面の幅より小さい幅の壁片３２４で閉鎖され、他の壁面はその壁面の幅より小さい幅の開閉片３２５で開閉自在に閉鎖される。この結果、箱体部３２１の内部空間は、天井面の孔３２６、底面の舌片３２３の隙間、対向する一対の側壁面は壁片３２４および開閉片３２５と針３２２が形成された側壁面との間の隙間により外部と空間的に連通する。なお、底面も天井面と同様に複数の孔を形成した壁面としてもよい。また、針３２２が形成された側壁面にも穴を形成してもよい。なお、底面の舌片３２３の隙間あるいは複数の孔３２６は内部に収納する物品が落下しない大きさにする必要がある。
【００１４】
次に動作を説明する。
まず、物品装着針３２の箱体部３２１内に物品を収納する。物品としては、商品などの被装着物に添付装着したい物品、たとえば、商品や個体を識別するＩＣタグ、商品の値段や品質を表示する値札等の識別タグ、商品や雑誌などの添付品、おまけなどのミニチュア、キャラクタグッズ、またはプレミアム製品、薬錠剤の見本としてのサンプル錠剤などの、微小な平面的または立体的物品が使用可能である。これらの物品を箱体部３２１の開閉片３２５を開いた状態で挿入し、開閉片３２５を閉じると物品は箱体部３２１内に収納される。物品を収納した物品装着針３２を複数個用意し、これらをカセット２１内に収納する。各物品装着針３２は、従来のホッチキス針とは異なって相互に接着されていない状態でカセット２１内に収納されている。
次に、カバー１３を開き、フレーム１１の針押し１１４をガイド棒１１３に沿ってコイルバネの偏倚力に抗して回転軸１２側に引くと、フレーム１１にカセット２１を装填するための空間ができるので、その空間に物品装着針３２を複数個収納したカセット２１を装填し、針押し１１４を離すと、針押し１１４がコイルバネの偏倚力によりカセット２１内に侵入して最後端の物品装着針３２の壁面を押しながらカセット２１の長手方向に移動する。このとき、針押し１１４はガイド棒１１３に沿って摺動するので、横ぶれすることなく正確にカセット２１の長手方向に移動する。このとき、物品装着針３２も横ぶれすることなくカセット２１内を移動し、物品装着針３２の針３２２は下筺体２２１の溝２２３内を正確に移動するので、針３２２が曲がったり損傷することはない。カセット２１内での物品装着針３２の移動が終了したとき、最先端の物品装着針３２は、カセット２１の開口部２２４内にあり、止め部２２６、２２７に支えられているために下方に落下することはない。そして、ここでスタンバイ状態になる。
【００１５】
商品などの被装着物の物品を、装着したい部分をベース１４の凹部１４１に合わせ、カバー１３をベース１４側に押すと、押刃１５がカセット２１の開口部２２９に侵入し、カセット２１の開口部２２４内にある物品装着針３２の箱体部３２１の上面を押す。すると、物品装着針３２は止め部２２６、２２７を押し、止め部２２６、２２７はバネ性により徐々に開いて物品装着針３２を通過する。通過した物品装着針３２は、その針３２２が被装着物を貫通してベース１４の凹部１４１に達し、押刃１５に加えられている力により凹部１４１内で屈曲する。この結果、針３２２が被装着物を挟むので物品装着針３２が被装着物に装着される。こうしてＩＣタグなどの物品が物品装着針３２により被装着物に装着される。物品が収納されている物品装着針３２の箱体部３２１は、前述したように外部と空間的に連通する孔や隙間が形成されているので、内部に収納されているＩＣタグは、これらの孔や隙間を介して外部と電波の送受信を行うことができる。
カセット２１の開口部２２４内にある物品装着針３２が使用されると、カセット２１内の次の物品装着針３２が針押し１１４で押されて開口部２２４内に移動してくる。このとき、止め部２２６、２２７はそのバネ性により元の状態に復元しているので、新しい物品装着針３２を支持してスタンバイ状態にすることができる。
【００１６】
こうしてカセット２１内のすべての物品装着針３２を打ち終わると、カバー１３を開き、フレーム１１の針押し１１４をガイド棒１１３に沿ってコイルバネの偏倚力に抗して回転軸１２側に引き、使用済みのカセット２１を取り出して、物品装着針３２を収納した新しいカセット２１を装填する。以下同様の操作を繰り返すことにより、物品を収納した物品装着針を作業効率よく、連続的に被装着物に装着することができる。
【００１７】
以上のように、本発明によれば、物品を収納した物品装着針３２をあらかじめカセット２１内に収納して、このカセット２１をホッチキス本体に装填しているので、物品装着針３２の鋭利な針３２２の先端に触れることなく安全に針打ちをすることができる。
また、金属製のバネや金属製の針押しはフレーム側に形成されており、カセット２１はすべて合成樹脂製で、金属製部品を含んでいないので、破棄する際に金属と樹脂との分別が不要であり、維持管理が容易である。
【産業上の利用可能性】
【００１８】
本発明による物品装着装置および物品装着針は、物品としてＩＣタグを使用し、商品や海上コンテナの管理、実験用動物や牧場の飼育動物の個体管理、ペットの個体管理などに使用される各種の管理用タグを、管理対象である商品やコンテナ、動物などに装着する装置および物品装着針として有用である。
また、物品として、商品の値段や品質を表示する値札等の識別タグ、商品や雑誌などの添付品、おまけなどのミニチュア、キャラクタグッズ、またはプレミアム製品、薬錠剤の見本としてのサンプル錠剤などの、微小な平面的または立体的物品を使用することにより、商品の管理や販売用タグ、商品販売促進用の添付物品を関連商品やカタログなどに装着する装置および物品装着針として有用である。
【図面の簡単な説明】
【００１９】
【図１】（ａ）は本発明の実施例における物品装着装置の構成を示す側断面図（ｂ）は図１（ａ）における物品装着装置の使用位置における物品装着針装着部の断面図
【図２】本発明の実施例における物品装着装置のフレームおよびカセットの取り付け構造を示す図で、（ａ）は平面図（ｂ）は側面図
【図３】本発明の実施例における物品装着装置の針押しの正面図
【図４】本発明の実施例における物品装着装置に使用される物品装着針の斜視図
【符号の説明】
【００２０】
１１  フレーム
１２  回転軸
１３  カバー
１４  ベース
１５  押刃
２１  カセット
３２  物品装着針
１１１  側壁
１１２  底部
１１３  ガイド棒
１１４  針押し
１１５、２２４、２２９  開口部
１１７  押片
１１８  ガイド部
１１９  孔
１４１  凹部
２２１  下筺体
２２２  上筺体
２２３、２２５  溝
３２１  箱体部
３２２  針
２２６、２２７  止め部
３２３  舌片
３２４  壁片
３２５  開閉片
３２６  孔
【図１】
2005103724.tif 000003
【図２】
2005103724.tif 000004
【図３】
2005103724.tif 000005
【図４】
2005103724.tif 000006